(57)【要約】【課題】  床パンの支持脚受部本体にナット部材を接着固定する際に、接着された初期段階よりより確実な固定状態へ導き、且つ接着バラツキを抑えて固定信頼性を向上させ、安価で生産性に優れた支持脚受部本体内のナット部材の固定手段を提供する。【解決手段】  床パンの支持脚の支持脚受部本体において、略同軸上に、ナット部材を内装可能な第２の凹部と、この第２の凹部よりもやや大きい内径の第１の凹部とが形成されており、この第２の凹部に前記ナット部材を接着固定する際に、前記第１の凹部にバネワッシャー部材を圧入嵌合して前記ナット部材を係止させることを特徴とする。【選択図】  図３
2006028914.tif 000002
【特許請求の範囲】
【請求項１】
水周り衛生設備ユニット等の床パンの裏面に突設された複数の支持脚受部本体と、この支持脚受部本体に固定されたナット部材と、このナット部材に螺合された設置高さ調整ボルトからなる床パンの支持脚において、
前記支持脚受部本体には、略同軸上に、前記ナット部材を内装可能な第２の凹部と、この
第２の凹部よりもやや大きい内径の第１の凹部とが形成されており、
この第２の凹部に前記ナット部材を接着固定するに際して、前記第１の凹部にバネワッシャー部材を圧入嵌合して前記ナット部材を係止させるようにしたことを特徴とする床パンの支持脚。
【発明の詳細な説明】
【技術分野】
【０００１】
本発明は、浴室ユニット・シャワーユニット・トイレユニットなど水周り衛生設備ユ  ニットの底部を形成する床パンの支持脚に関する。
【背景技術】
【０００２】
図１の如く、浴室ユニット１１の底部を形成する床パン９は、主に防水パンや洗い場  として供され、当然設置場所に所定の高さで水平に設置されることが要求される。この  床パン９の設置高さ調整をするために、床パン９の底面に複数（通常４〜８本）の支持  脚１０が設けられている。
【０００３】
図２は従来の仕様の支持脚１０の断面図であり、この支持脚１０は、床パン９の底面  に突設された支持脚受部本体２８の内部に固定されたナット部材（例えば六角ナット）  ４と、下方より螺合され設置高さを調整する高さ調整ボルト２６からなり、この高さ調  整ボルト２６を回動させることにより、設置高さを可変させていた。
（例えば、特許文献１）
【０００４】
この床パン９の底面に突設された支持脚受部本体２８内の凹部（下）２２に六角ナッ  ト４が内装され、この内装された六角ナット４を係止させる手段として、接着剤５だけ  に頼っていた。ここで凹部（上）２３は、六角ナット４と螺合され床パン９の設置高さ  を調整するために回動される高さ調整ボルト２６の移動可能な先端部２６ａを収めるス  ペースである。
【０００５】
しかしながら、支持脚受部本体２８内の凹部（下）２２に六角ナット４を係止させる  ために、従来方法である接着剤５だけによる固定手段では、接着剤５の完全硬化までに  多大の時間を要するという大きな欠点があった。
【０００６】
このような用途に供される機械構造用接着剤は、速乾タイプでも２５℃の温度条件に  おいて、完全硬化までに２４時間程度は必要とされている。
【０００７】
一般に製品の組立作業において、接着剤が完全硬化するまで動かせない状態で床パン  ９の半製品を放置するということは後工程への滞りを生む原因となり、製品の完成まで  に多くの時間を要するという欠点があるだけでなく、床パン９という半製品の大きさか  らも相当な面積の放置場所が必要となるという問題もある。
【０００８】
床パン９の支持脚１０を構成する支持脚受部本体２８と六角ナット４を固定する接着  剤５が未硬化の不安定な状態のままで、半製品を移動させようとしたり、裏返しにして  次工程に取りかかろうとするなら、六角ナット４が歪んだりもげたりして不良品となる  など、製品品質上においても大きな支障となる恐れもある。
【０００９】
従来方法である接着剤５だけによる固定方法は、接着剤５の塗布加工そのものは比較  的短時間で済むが、接着剤５の養生時間も含めると製品完成までに多くの時間を費やす  ことになり、結果として生産コストが高くなる要因となっていた。
【特許文献１】特開平０５−３４００７０号公報
【発明の開示】
【発明が解決しようとする課題】
【００１０】
本発明は、上記従来技術の問題点に鑑みてなされたもので、床パンの支持脚の支持脚  受部本体に内装されたナット部材を、容易で短時間の追加加工により、接着された初期  段階よりより確実な固定状態へと導く役割を果たし、且つ接着バラツキを極力抑えて固  定信頼性を向上させ、安価で生産性に優れた支持脚受部本体のナット部材の係止状態が  得られる床パンの支持脚である。
【課題を解決するための手段】
【００１１】
上記目的を達成するために本発明の床パンの支持脚は、水周り衛生設備ユニット等の  床パンの底面に突設された複数の支持脚受部本体と、この支持脚受部本体に固定された  ナット部材と、このナット部材に螺合された設置高さ調整ボルトからなる床パンの支持  脚において、
前記支持脚受部本体には、略同軸上に、前記ナット部材を内装可能な第２の凹部と、こ  の第２の凹部よりもやや大きい内径の第１の凹部とが形成されており、
この第２の凹部に前記ナット部材を接着固定するに際して、前記第１の凹部にバネワッ  シャー部材を圧入嵌合して、前記ナット部材を係止させるようにしたことを特徴とする  。
【発明の効果】
【００１２】
以上の説明より明らかなように本発明は、床パンの支持脚受部に内装されたナット部  材を固定せしめる際に、従来方法である接着剤だけに頼るのではなく、さらに固定補助  部品であるバネワッシャー等を簡易作業によって圧入嵌合させ、十分な固定強度を提供  することを特徴とするので、接着剤の養生が不要という時間短縮による生産性の向上と  、不良品の大幅減少による品質向上を可能にして、安価な生産コストを実現できる。
【発明を実施するための最良の形態】
【００１３】
本発明を実施例によってより詳細に説明する。
【実施例】
【００１４】
図３は本発明の実施例の支持脚の断面図である。水周り衛生設備ユニット等の底部を  形成する床パン９の底面に設けられた複数の支持脚１０は、床パン９の裏面より突設さ  れた支持脚受部本体８と、支持脚受部本体８内に内装固定されたナット部材４と、これ  に螺合され回動されることによって床パン９の設置高さを調整する高さ調整ボルト      ６からなっている。ナット部材４としては、例えば六角ナットが一般的である。
【００１５】
前記支持脚受部本体８には、略同軸上に、開口部側より順に、第１の凹部１、第２の  凹部２、第３の凹部３が形成されており、第１の凹部１の内径は第２の凹部２よりやや  広く、六角ナット４が内装される第２の凹部２の内径は第３の凹部３より広く、第３の  凹部３はナット部材４と螺合貫通された高さ調整ボルト６の先端を納めるスペースとし  て形成されている。
【００１６】
第２の凹部２にはナット部材４が内装され、第２の凹部２の内壁面と接着剤５により接着固定されている。
【００１７】
さらに第１の凹部１には、後述するバネワッシャー７が圧入嵌合されて、ナット部材  ４を押圧している。
【００１８】
このバネワッシャー７を挿通して、高さ調整ボルト６がナット部材４と螺合し  ており、回動によって移動する高さ調整ボルト６の先端部６ａは、第３の凹部３内に収  められる。
【００１９】
第２の凹部２にナット部材４を接着固定するに際しては、第２の凹部２に接着剤      を注入し、ナット部材４を内装させた直後の未硬化状態の時に、バネワッシャー７を第  １の凹部１の内壁に圧入嵌合し、その塑性変形による反発力でナット部材４を押圧して  係止することにより、ナット部材４を支持脚受部本体８内により確実に接着固定させる  ことができる。
【００２０】
本発明で用いたバネワッシャー７は図４の如く、前記第１の凹部１の内壁に均等に接  圧するよう、且つ圧入嵌合されやすいように、外周に一定間隔で同形状の切り込み部を  持つ花びら状の外形を有していることが好ましい。
【００２１】
また本発明で用いたバネワッシャー７の断面は図５の如く皿状になっており、この皿  状断面が塑性変形するのを助け、且つ前記第１の凹部１内に挿入された時に元の形状に  戻ろうとする反発力を生み、この反発力が前記第２の凹部２に接着剤５とともに内装さ  れたナット部材４を押圧するので、接着剤５だけによる従来方法では決して得られなか  った初期段階の固定形態を付与することができる。
【００２２】
本発明の固定補助部品であるバネワッシャー７が圧入嵌合された前記支持脚受部本体      ８は、次工程への搬送時や荷扱いにおいても不具合を起こさない固定強度を有して  いる。すなわち注入された前記接着剤５が未硬化の状態であっても、支持脚受部本体の  第２の凹部２にバネワッシャー７を圧入嵌合した時点で、接着剤５の養生時間は不要と  なり、直ちに次工程への作業や搬送が可能になる。
【００２３】
本発明の固定補助部品である圧入嵌合作業は、バネワッシャー７を塑性変形させる簡  易押込み治具によって容易に手作業で行える。また押込み治具の工夫によって、より強  い圧入嵌合力が得られる厚みを増したバネワッシャー７を固定補助部品として用いるこ  とはさらに好ましい。
【図面の簡単な説明】
【００２４】
【図１】浴室ユニットの床パンの一例を示す断面図。
【図２】従来の支持脚部の断面図。
【図３】本発明における床パンの支持脚の断面図。
【図４】実施例で用いたバネワッシャーの外形図。
【図５】実施例で用いたバネワッシャーの断面図。
【符号の説明】
【００２５】
１  第１の凹部
２  第２の凹部
３  第３の凹部
４  ナット部材
５  接着剤
６  高さ調整ボルト
６ａ先端部
７  バネワッシャー
８  支持脚受部本体
９  床パン
１０  支持脚
１１  浴室ユニット
２２  凹部（下）
２３  凹部（上）
２６  高さ調整ボルト
２６ａ先端部
２８  支持脚受部本体
【図１】
2006028914.tif 000003
【図２】
2006028914.tif 000004
【図３】
2006028914.tif 000005
【図４】
2006028914.tif 000006
【図５】
2006028914.tif 000007